【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
第１始動条件が成立した後に第１開始条件が成立したことに基づいて、各々が識別可能な複数種類の第１識別情報を可変表示する第１可変表示手段と、第２始動条件が成立した後に第２開始条件が成立したことに基づいて、各々が識別可能な複数種類の第２識別情報を可変表示する第２可変表示手段とは同時に可変表示が実行されないものであり、前記第２可変表示手段における前記第２識別情報の可変表示は前記第１可変表示手段における前記第１識別情報の可変表示に優先して実行され、前記第１識別情報の可変表示結果又は前記第２識別情報の可変表示結果が予め定められた特定表示結果となった後に、遊技者にとって有利な特定遊技状態に制御する遊技機であって、
遊技媒体が打ち込まれる遊技領域のうちの第１遊技領域に設けられ、常時遊技媒体が進入可能な第１始動入賞口を形成する第１始動入賞装置と、
前記第１始動入賞口に進入した前記遊技媒体を検出する第１始動入賞検出手段と、
前記遊技領域のうち、前記第１遊技領域とは異なる第２遊技領域に設けられ、前記遊技媒体が進入可能な第１状態と進入不能な第２状態とに変化可能な第２始動入賞口を形成する第２始動入賞装置と、
前記第２始動入賞口に進入した前記遊技媒体を検出する第２始動入賞検出手段と、
前記遊技領域のうち、前記第２遊技領域に設けられ、前記遊技媒体が進入可能な第１状態と進入不能な第２状態とに変化可能な大入賞口を形成する大入賞装置と、
前記第１始動入賞検出手段によって前記遊技媒体が検出されたことに対応して前記第１始動条件が成立したこと、又は前記第２始動入賞検出手段によって前記遊技媒体が検出されたことに対応して前記第２始動条件が成立したことに基づいて、所定の数値データを抽出する数値データ抽出手段と、
前記数値データ抽出手段が前記第１始動条件が成立したことに基づいて抽出した前記数値データを、抽出順を特定可能に保留記憶する第１保留記憶手段と、
前記数値データ抽出手段が前記第２始動条件が成立したことに基づいて抽出した前記数値データを、抽出順を特定可能に保留記憶する第２保留記憶手段と、
前記第１開始条件が成立したときに、前記第１保留記憶手段に保留記憶されている前記数値データのうち、前記抽出順が最先の前記数値データを読み出す第１数値データ読出手段と、
前記第１数値データ読出手段によって読み出された前記数値データに基づいて、前記第１識別情報の可変表示結果が導出される以前に、前記特定遊技状態に制御するか否かを決定する第１事前決定手段と、
前記第２開始条件が成立したときに、前記第２保留記憶手段に保留記憶されている前記数値データのうち、前記抽出順が最先の前記数値データを読み出す第２数値データ読出手段と、
前記第２数値データ読出手段によって読み出された前記数値データに基づいて、前記第２識別情報の可変表示結果が導出される以前に、前記特定遊技状態に制御するか否かを決定する第２事前決定手段と、
前記第１事前決定手段又は前記第２事前決定手段によって前記特定遊技状態に制御する旨の決定がなされたことに基づいて、前記大入賞口を前記第１状態に変化させる制御を複数回実行する前記特定遊技状態に制御する特定遊技状態制御手段と、
前記特定遊技状態制御手段による前記特定遊技状態への制御の終了後に、通常遊技状態に制御されているときよりも前記第２始動入賞口への入賞頻度が高い特別遊技状態に制御する特別遊技状態制御手段と、
前記第１始動条件が成立したことに基づいて前記数値データ抽出手段によって抽出された前記数値データが所定の判定値と合致するか否かを判定する始動条件成立時判定手段と、
該始動条件成立時判定手段の判定に基づいて、該判定の対象になった前記数値データに基づく前記第１識別情報の可変表示が実行される以前に、所定の予告演出を実行する予告演出実行手段と、を備え、
前記予告演出実行手段は、前記特別遊技状態及び前記特定遊技状態に制御されているときには、前記所定の予告演出を実行しない、
ことを特徴とする遊技機。
【手続補正２】
【補正対象書類名】明細書
【補正対象項目名】００１０
【補正方法】変更
【補正の内容】
【００１０】
（１）上記目的を達成するため、本願発明に係る遊技機は、第１始動条件が成立した後に第１開始条件が成立したことに基づいて（例えばＣＰＵ１０３がステップＳ２０１にてＹｅｓと判定するともにステップＳ２０２にてＮｏと判定した後に、ステップＳ２４１にてＮｏと判定したことなどに基づいて）、各々が識別可能な複数種類の第１識別情報（例えば特別図柄など）を可変表示する第１可変表示手段（例えば第１特別図柄表示装置４Ａなど）と、第２始動条件が成立した後に第２開始条件が成立したことに基づいて（例えばＣＰＵ１０３がステップＳ２２１にてＹｅｓと判定するともにステップＳ２２２にてＮｏと判定した後に、ステップＳ２４１にてＮｏと判定したことなどに基づいて）、各々が識別可能な複数種類の第２識別情報を可変表示する第２可変表示手段（例えば第２特別図柄表示装置４Ｂなど）とは同時に可変表示が実行されないものであり、前記第２可変表示手段における前記第２識別情報の可変表示は前記第１可変表示手段における前記第１識別情報の可変表示に優先して実行され、前記第１識別情報の可変表示結果又は前記第２識別情報の可変表示結果が予め定められた特定表示結果（例えば大当り図柄など）となった後に、遊技者にとって有利な特定遊技状態（例えば大当り遊技状態など）に制御する遊技機（例えばパチンコ遊技機１など）であって、遊技媒体が打ち込まれる遊技領域のうちの第１遊技領域に設けられ、常時遊技媒体が進入可能な第１始動入賞口を形成する第１始動入賞装置（例えば普通入賞球装置６Ａなど）と、前記第１始動入賞口に進入した前記遊技媒体を検出する第１始動入賞検出手段（例えば第１始動口スイッチ２２Ａなど）と、前記遊技領域のうち、前記第１遊技領域とは異なる第２遊技領域に設けられ、遊技媒体が進入可能な第１状態と進入不能な第２状態とに変化可能な第２始動入賞口を形成する第２始動入賞装置（例えば普通可変入賞球装置６Ｂなど）と、前記第２始動入賞口に進入した前記遊技媒体を検出する第２始動入賞検出手段（例えば第１始動口スイッチ２２Ａなど）と、前記遊技領域のうち、前記第２遊技領域に設けられ、前記遊技媒体が進入可能な第１状態と進入不能な第２状態とに変化可能な大入賞口を形成する大入賞装置（例えば特別可変入賞球装置７など）と、前記第１始動入賞検出手段によって前記遊技媒体が検出されたことに対応して前記第１始動条件が成立したこと、又は前記第２始動入賞検出手段によって前記遊技媒体が検出されたことに対応して前記第２始動条件が成立したことに基づいて、所定の数値データを抽出する数値データ抽出手段（例えばＣＰＵ１０３がステップＳ２０４、又はＳ２２４の処理を実行する部分など）と、前記数値データ抽出手段が前記第１始動条件が成立したことに基づいて抽出した前記数値データを、抽出順を特定可能に保留記憶する第１保留記憶手段（例えば第１特図保留記憶部１５１Ａなど）と、前記数値データ抽出手段が前記第２始動条件が成立したことに基づいて抽出した前記数値データを、抽出順を特定可能に保留記憶する第２保留記憶手段（例えば第２特図保留記憶部１５１Ｂなど）と、前記第１開始条件が成立したときに、前記第１保留記憶手段に保留記憶されている前記数値データのうち、前記抽出順が最先の前記数値データを読み出す第１数値データ読出手段（例えばＣＰＵ１０３がステップＳ２４４の処理を実行する部分など）と、前記第１数値データ読出手段によって読み出された前記数値データ（例えば特図表示結果決定用の乱数値ＭＲ１など）に基づいて、前記第１識別情報の可変表示結果が導出される以前に、前記特定遊技状態に制御するか否かを決定する第１事前決定手段（例えばＣＰＵ１０３がステップＳ２４８、Ｓ２５８の処理を実行する部分など）と、前記第２開始条件が成立したときに、前記第２保留記憶手段に保留記憶されている前記数値データのうち、前記抽出順が最先の前記数値データを読み出す第２数値データ読出手段（例えばＣＰＵ１０３がステップＳ２５１の処理を実行する部分など）と、前記第２数値データ読出手段によって読み出された前記数値データに基づいて、前記第２識別情報の可変表示結果が導出される以前に、前記特定遊技状態に制御するか否かを決定する第２事前決定手段（例えばＣＰＵ１０３がステップＳ２５５、Ｓ２５８の処理を実行する部分など）と、前記第１事前決定手段又は前記第２事前決定手段によって前記特定遊技状態に制御する旨の決定がなされたことに基づいて、前記大入賞口を前記第１状態に変化させる制御を複数回実行する前記特定遊技状態に制御する特定遊技状態制御手段（例えばＣＰＵ１０３がステップＳ１１４〜Ｓ１１７の処理を実行する部分など）と、前記特定遊技状態制御手段による前記特定遊技状態への制御の終了後に、通常遊技状態に制御されているときよりも前記第２始動入賞口への入賞頻度が高い特別遊技状態に制御する特別遊技状態制御手段（例えばＣＰＵ１０３がステップＳ３４４又はＳ３４５の処理を実行した後に、ステップＳ１５及びＳ１６の処理を実行する部分など）と、前記第１始動条件が成立したことに基づいて前記数値データ抽出手段によって抽出された前記数値データが所定の判定値と合致するか否かを判定する始動条件成立時判定手段（例えばＣＰＵ１０３がステップＳ２０９〜Ｓ２１７、又はステップＳ２２６及びＳ２３４の処理を実行する部分など）と、該始動条件成立時判定手段の判定に基づいて、該判定の対象になった前記数値データに基づく前記第１識別情報の可変表示が実行される以前に、所定の予告演出を実行する予告演出実行手段（例えば演出制御用ＣＰＵ１２０がステップＳ５１６の連続予告設定処理を実行した後に、ステップＳ１６２の飾り図柄変動中処理を実行する部分など）と、を備え、前記予告演出実行手段は、前記特別遊技状態及び前記特定遊技状態に制御されているときには、前記所定の予告演出を実行しない（例えばＣＰＵ１０３がステップＳ２０７の処理にてＹｅｓと判定された場合、ステップＳ２０９〜Ｓ２１８の処理をスキップすることにより、演出制御用ＣＰＵ１２０は、ステップＳ５１６の連続予告設定処理にて連続予告演出の設定を行わない、例えばＣＰＵ１０３がステップＳ２０８の処理にてＹｅｓと判定された場合、ステップＳ２０９〜Ｓ２１８の処理をスキップすることにより、演出制御用ＣＰＵ１２０は、ステップＳ５１６の連続予告設定処理にて連続予告演出の設定を行わない）、ことを特徴とする。